(57)【要約】【課題】太陰太陽暦機構、特に計時器において、太陰月表示機構を提供すること。【解決手段】機構は、閏年の追加の月の位置を決定する板（２０７）を同心状に含む。板は、１２の月のスケールに関連付けられた針（２１６）を備え、制約デバイスによって永続的に制動される遊星車（２０８）を担持する。各新月において回転の１２分の１にわたって駆動される駆動車が遊星車と噛み合い、それにより板と針を進行させる。閏月の開始時、ストップつめ（２１０）は、遊星車のストップ要素（２０９）のストップ部材を形成し、したがって車を回転させ、針が先行月の番号の近くに留まるように、駆動車（２０１）が回転している際の制約デバイスの力を克服する。ストップつめの位置は、ショルダ（２１６）が１２の異なるレベルを有することができる年カム（２１５）によって決定される。この機構は、特に中国暦表示において使用することができる。【選択図】図１
2007171201.tif 000002
【特許請求の範囲】
【請求項１】
変数が、通常周期においてＮの連続する通常値、または異常周期において前記Ｎの通常値と少なくとも１つの追加の値を含む少なくともＮ＋１の値を取ることができる、変数の離散値の周期をＮの場のスケール上で表示する機械デバイスであって、
通常周期あたりおよび異常周期あたり１回転を完了するように段階的に駆動され、前記スケール（２０４）に関連付けられる表示（２０６）を備える表示車セット（２０２）であって、表示車セットが、好ましくは摩擦タイプである制約デバイスによって板上で回転するのを防止される歯付き遊星車（２０８）を担持する板（２０７）を有し、前記遊星車が、周上に一様に分布したストップ要素（２０９）をさらに有する、表示車セット（２０２）と、
各周期の終了時に回転の１／Ｎにより駆動されるように構成された第１歯（２１３）、および前記遊星車の歯と噛み合う第２歯（２１４）を有する駆動車（２０１）と、
前記遊星車（２０８）の前記ストップ要素（２０９）の少なくとも１つに対してストップ部材となり、前記板（２０７）が回転している間、前記制約デバイスに対して前記車を回転させることができる回転ストップつめ（２１０）と
を同心状に含み、
前記スケール（２０４）の場に対応する選択位置に前記ストップつめ（２１０）を配置し、保持するように構成された配置手段（２１５から２２１）をさらに含むことを特徴とする、機械デバイス。
【請求項２】
前記制約デバイスが摩擦タイプであることを特徴とする請求項１に記載のデバイス。
【請求項３】
Ｎが１２の値を有し、前記通常周期が１２の太陰月を含む通常年であり、前記異常周期が１３の太陰月を含む閏年であり、前記表示車セット（２０２）が１年あたり１回転を完了する太陰月車であることを特徴とする、太陰太陽暦機構、特に計時器において、前記太陰月周期を表示するための請求項１または２に記載のデバイス。
【請求項４】
前記ストップつめ（２１０）が、前記遊星車の前記ストップ要素（２０９）を妨害しない非活動位置を有することを特徴とする請求項１から３のいずれかに記載のデバイス。
【請求項５】
前記非活動位置において、前記ストップつめ（２１０）が、他の位置に関して、回転軸の方向に変位されることを特徴とする請求項４に記載のデバイス。
【請求項６】
前記ストップつめ（２１０）の前記非活動位置が、前記スケール（２０４）の最後の場に対応する位置であることを特徴とする請求項４に記載のデバイス。
【請求項７】
前記配置手段が周期カム（２１５）、一連の周期の各周期について、レベルが前記周期における追加の値の欠如または存在、および任意の追加の値の位置を表すショルダ（２１６）、周期カムの現在の周期の対応するショルダに当接することができるフィーラ（２１８）、ならびにセンサと前記ストップつめとの間の伝達機構を含むことを特徴とする請求項１に記載のデバイス。
【請求項８】
前記伝達機構が、前記フィーラに接続されかつ前記ストップつめの歯付きハブ（２２１）に噛み合う回動ラック（２２０）によって形成されることを特徴とする請求項７に記載のデバイス。
【請求項９】
前記周期カムが年カム（２１５）であり、各ショルダ（２１６）の前記レベルが、その年の閏月の欠如または存在、および任意の閏月の位置を表すことを特徴とする請求項３および７に記載のデバイス。
【請求項１０】
前記年カム（２１５）が、取外し可能であり、年の他のシリーズに対応するカムによって置き換えることができることを特徴とする請求項７に記載のデバイス。
【発明の詳細な説明】
【技術分野】
【０００１】
本発明は、一般的には、Ｎの場のスケールで変数の離散値の周期を表示する機械デバイスに関する。変数は、通常周期においてＮの連続する通常の値、または異常周期においては、前記Ｎの通常の値と少なくとも１つの追加の値を含む少なくともＮ＋１の値を取ることができる。
【背景技術】
【０００２】
このデバイスは、太陰太陽暦機構、特に計時器において、太陰月を表示するのに適用される。現在の太陰月の名称または数は、たとえば従来の中国暦などの太陰太陽暦機構から表示される。太陰太陽暦は、何よりもまず、平均の長さが整数の日数に等しくない月期に基づく。したがって、ユリウス暦または他の太陽暦の変数を表示する既知の機構は、この目的について使用することができない。
【０００３】
中国暦は、ある祝日の日付を確定するために、かつ中国占星術について依然として使用されている。中国暦は、月期に対応する太陰月を備えるという点で太陰太陽暦タイプであるが、中国の年は、太陽年、すなわち黄道上の太陽の見かけの移動に可能な限り近くあるように、可変数の月を有する。この暦は、チャン周期と呼ばれる１９年の周期を有し、ほぼ整数の月期（２３５）、太陽年（１９）、中国年（１９）を有し、その始まりは、ほとんど例外なく、冬至に続く第２新月において中国の新年を確定する歴史的条件を満たすように固定されている。１９の中国年のこれらの期間のそれぞれは、１２の太陰月からなる１２の通常年と１３の太陰月からなる７の閏年を含む。チャン周期の年に番号を付けると、閏年は、通常、１、４、７、１０、１２、１５、１８を有する。閏年の追加の太陰月は、占星術のデータに依存し、したがって閏年ごとに異なる非周期的位置において、２つの通常月の間に挿入される。先行月と同じ番号が与えられ、それにより、後続の太陰月は、通常年の場合と同じ番号を維持する。該当する各新年の新月の時間に応じて、中国暦の通常年は、３５３、３５４、３５５日を備え、一方、閏年は、３８３、３８４、３８５日を備える。
【０００４】
中国暦に関するより多くのデータについて、読者は、Ｎａｃｈｕｍ  ＤＥＲＳＨＯＷＩＴＺとＥｄｗａｒｄ  Ｍ．ＲＥＩＮＧＯＬＤによるＣａｌｅｎｄｒｉｃａｌ  Ｃａｌｃｕｌａｔｉｏｎｓ、Ｃａｍｂｒｉｄｇｅ  Ｕｎｉｖｅｒｓｉｔｙ  Ｐｒｅｓｓ、１９７７年、ならびにＨｅｌｍｅｒ  ＡＳＬＡＫＳＥＮによる刊行物、ｔｈｅ  Ｍａｔｈｅｍａｔｉｃｓ  ｏｆ  ｔｈｅ  Ｃｈｉｎｅｓｅ  Ｃａｌｅｎｄａｒ、２００４年５月１３日、およびサイトｗｗｗ．ｍａｔｈ．ｎｕｓ．ｅｄｕ．ｓｇ．において入手可能なＢｉｓｓｅｘｔｉｌｅ  Ｍｏｎｔｈｓ．ｎｂ、Ｍａｔｈｅｍａｔｉｃａ  Ｐａｃｋａｇｅ、１９９９年を参照することができる。
【０００５】
古代ギリシャ暦やユダヤ暦など、本発明を適用することができる他の太陰太陽暦が存在することに留意されたい。この場合も、閏年は、チャン周期に非常に類似しているメトン周期と呼ばれる１９年の周期を有する。米国特許第４０５５７４９号が、ユダヤ暦を表示することができる電子装置を開示している。
【非特許文献１】Ｎａｃｈｕｍ  ＤＥＲＳＨＯＷＩＴＺとＥｄｗａｒｄ  Ｍ．ＲＥＩＮＧＯＬＤ、Ｃａｌｅｎｄｒｉｃａｌ  Ｃａｌｃｕｌａｔｉｏｎｓ、Ｃａｍｂｒｉｄｇｅ  Ｕｎｉｖｅｒｓｉｔｙ  Ｐｒｅｓｓ、１９７７年
【非特許文献２】Ｈｅｌｍｅｒ  ＡＳＬＡＫＳＥＮによる刊行物、ｔｈｅ  Ｍａｔｈｅｍａｔｉｃｓ  ｏｆ  ｔｈｅ  Ｃｈｉｎｅｓｅ  Ｃａｌｅｎｄａｒ、２００４年５月１３日
【非特許文献３】Ｂｉｓｓｅｘｔｉｌｅ  Ｍｏｎｔｈｓ．ｎｂ、Ｍａｔｈｅｍａｔｉｃａ  Ｐａｃｋａｇｅ、１９９９年、サイトｗｗｗ．ｍａｔｈ．ｎｕｓ．ｅｄｕ．ｓｇ．
【特許文献１】米国特許第４０５５７４９号
【発明の開示】
【発明が解決しようとする課題】
【０００６】
本発明は、通常周期におけるＮの値の他に少なくとも１つの追加の値を考慮することができ、たとえばカムによって、異常周期におけるこの追加の値の存在と位置を機械的に決めることができる、上記のプリアンブルにおいて示されたタイプの機械表示デバイスに関する。本発明は、特に、各太陰月の終了時、すなわち各新月においてデバイスを活動化する太陰太陽暦機構から、その年の閏年の存在と位置を考慮して、現在の太陰月の番号を正確に表示することができる機械デバイスに関する。
【課題を解決するための手段】
【０００７】
本発明による表示デバイスは、
通常周期あたり、および異常周期あたり１回転を完了するように段階的に駆動され、スケールに関連付けられる表示を備える表示車セットであって、好ましくは摩擦タイプである制約デバイスによって板上で回転するのが防止される歯付き遊星車を担持する板を有し、遊星車が、周上に一様に分布したストップ要素をさらに有する、表示車セットと、
各周期の終了時に回転の１／Ｎにより駆動されるように構成される第１歯、および遊星車の歯と噛み合う第２歯を有する駆動車と、
遊星車のストップの要素の少なくとも１つについてストップ部材を形成し、したがって、板が回転する間、制約デバイスに対して車を回転させることができる回転ストップつめとを同心状に備え、
デバイスが、前記スケールの場に対応する選択位置にストップつめを配置し、保持するように構成された配置手段をさらに備えることを特徴とする。
【０００８】
配置手段は、一連の周期の各周期について、レベルが周期における任意の追加の値の欠如または存在と、任意の追加の値の位置を表すショルダを有する周期カムと、周期カムの現在周期の対応するショルダに当接することができるフィーラと、フィーラとストップつめとの間の伝達機構とを備えることが好ましい。この伝達機構は、フィーラに接続され、かつストップつめの歯付きハブに噛み合わされた回動ラックによって簡単に形成することができる。
【０００９】
太陰太陽暦機構、特に計時器において太陰月を表示するため使用されるとき、デバイスは、Ｎが１２の値を有し、前記通常周期が１２の太陰月を備える通常年であり、異常周期が１３の太陰月を備える閏年であり、表示車セットが１年あたり１回転を完了する太陰月車セットであることを特徴とする。したがって、周期カムは年カムであり、各ショルダのレベルは、その年の閏年の欠如または存在、および任意の閏月の位置を表す。
【００１０】
したがって、その年が閏年であるとき、ストップつめが、閏月の開始時に遊星車に対して作用するように、ストップつめを配置することが可能であり、それにより、車は、通常月の終了時に依然として静止している代わりに、板上で回転する。この回転の振幅は、ストップつめが遊星車に対する作用を終了し、したがって遊星車がその年の残りについて板上に依然として静止しているとき、月表示が、その瞬間に月スケールで次の月に移動せず、閏月の終了時においてのみ移動するような構成によって決定される。全体として、ストップつめの行為は、駆動車の回転の１２分の１について、月表示の進行を無効にしなければならない。これは、閏月の開始時に完全に行うことができるが、以下において説明されるように、閏月の開始時に一部行われ、終了時に一部行われる場合、より有利である。
【００１１】
本発明の他の特徴および利点が、添付の図面を参照して本発明の好ましい実施形態を非限定的な例として示す以下の記述から明らかになるであろう。
【発明を実施するための最良の形態】
【００１２】
図１、２に示される表示デバイスは、図において垂直に向いている共通軸２００の回りに回転する３つの同心円部分、すなわち、駆動車２０１、太陰月車セット２０２、閏月の位置を永続的に示す針Ｂに固定されるストップ部分２０３を含む。これに関して、閏月のない年の場合、針Ｂは、スケール２０４上で正午に位置することに留意されたい。これらの３つの回転部分は、図示されていない支持板と文字板との間に取り付けられる。暦時計またはあらゆる他の計時器の上面とすることができる文字板の上面は、中国新年の１から１２の等しい場の番号に分割された円形月スケール２０４を備える。月車セット２０２の板２０７に固定された針２０６によって形成される表示が、スケール上で指し示す。この車とかなは、板の中心からある距離において、板２０７の底面上に回転式に取り付けられた歯付き遊星車２０８をさらに備える。遊星車２０８は、たとえば遊星車２０８と板２０７との間において捕まれた弾性座金である摩擦制約デバイスによって、板２０７上で永続的に制動される。板の反対側において、遊星車は、この場合は数が６である一連のストップ要素２０９を有し、ストップ部分２０３のつめ２１０と共動するように周上に分布する。ストップ要素２０９は、たとえば、径方向のブレードまたは歯の形態とすることができる。図１、２に示される位置では、針２０６はスケール２０４の１２番目の場を指し、したがって年の最後の月を指しており、２つの連続するストップ要素２０９が、円弧の形状である固定ロック板２１２の縁に従い、遊星車２０８を正確に向けさせ、その位置において回転するのを防止する。
【００１３】
駆動車２０１は、１２の歯を有する第１歯２１３を外面に有し、遊星車２０８に噛み合う第２歯２１４を内面上に有する。歯２１３により、計時器暦機構の１つの要素が、各新月において回転の１２分の１により車２０８を回転させることが可能になる。表示デバイスが計時器に組み込まれていない場合、この周期的行為は、手作業で行うことができる。
【００１４】
月スケール２０４に関するストップつめ２１０の角度位置は、現在の年の太陰月の順序における任意の閏月の位置に対応する。この位置は、環状形状の回転年カム２１５によって決まり、カムの内縁は、太陰太陽暦の各年について、レベルが、閏月の欠如、またはその年の他の月の間における閏月の位置（この場合はカムの中心までの距離）を表すショルダ２１６を有する。閏月は中国暦では決して年の最後ではないので、カム２１５は、閏月のための１１のレベルと通常年を表すための１２番目を備える。この例では、カム２１５は、中国暦の７６年（４×１９）のシリーズについて用意されているが、この数字は任意であり、６０など、異なるとすることができる。このシリーズの年の後、カム２１５は、次の系統の年を表すカムによって置き換えられる。
【００１５】
各年の最中、ばねが、カム２１５の対応ショルダ２１６に当接して２１９を中心として回動するフィーラ２１８を保持する。フィーラ２１８は、つめ２１０を前記ショルダのレベルの関数として配置するように、ストップ部分２０３の歯付きハブ２２１に噛み合うラック２２０を伝達手段として含む。このレベルが通常年に対応するとき、つめ２１０が遮断板２１２に対向して配置される。この位置は、遊星車２０８のストップ要素２０９がつめ２１０で妨害されずにつめ２１０の上を通過するように、ストップ部分２０３が固定ランプによって軸方向下方に移動させられる位置である。
【００１６】
各中国新年において、年カム２１５は、表示デバイスが１年の最後の月から次の年の最初の月に進むとき、１ステップを進行するために、中心の回りに回動しなければならない。この動きは、板２０７に固定され、かつカム２１５の歯と噛み合うギア機構（図示せず）に作用する歯２２４によって生成させることができる。この機構はまた、カム２１５が回転する直前にフィーラ２１８をカム２１５から分離し、次いでカムの動きの後、フィーラを解放するように、フィーラ２１８を後方に移動させなければならず、これにより、ストップつめ２１０は、後続の年について適切な位置に設定される。新年に板２０７が回転することにより、針２０６は、月スケールの番号１の上に至る。
【００１７】
その年が閏年ではない場合、フィーラ２１８は、カム２１５の１２番目のレベルのショルダに接して左の端位置に戻り、それにより、つめ２１０は、以上において説明されたように、板２１２に対向して位置し、したがって、その年の間、影響を及ぼさない。各新月において、駆動つめ２０１が時計回り方向において回転の１２分の１にわたって回転することにより、遊星車２０８は移動し、板２０７と針２０６の等しい回転が生成されるが、その理由は、制動された遊星車は自転することができないからである。１２番目の太陰月の終了時、板２０７は、完全な１回転を有し、先行段落において記述された動作が繰り返される。
【００１８】
その年が閏年である場合、フィーラ２１８は、カム２１５によってより少なく離れて停止させられ、たとえば図３から５に示されるように、閏月に先行する月の番号に対応する位置において、年全体の間つめ２１０を保持する。より特に、この位置は、針２０６が、閏月に先行する前記月の番号を示すとき（図３に示される位置）、つめ２１０が、遊星車に対して最も近いストップ要素２０９の前にストップ部材を形成するようなものである。その月の終了時、駆動車２０１が矢印Ａによって示される方向において回転の１２分の１を完了し、したがって遊星車２０８を押すとき、つめ２１０は、ストップ要素２０９を保持し、したがって遊星車２０８をそれ自体について回転させ、遊星車２０８が受ける制動トルクを克服させる。したがって、板２０７の回転は大きく低減され、それにより、針２０６は、スケール２０４の先行月の番号を担持する場に留まる。図４は、表示デバイスのこの位置を示す。閏月の符号２２５（図２）は、針２０６がそのような環境において配置されるゾーンにおいて月スケールの場１から１１において提供することができることが有利である。その月の終了時、駆動車２０１の新しいステップが、遊星車２０８のストップ要素に対応する回転の端数（図示された例では回転の６分の１）、および板２０７の低減された回転を完了し、それにより、針２０６は、１単位だけ月番号を増大させるためにスケール２０４の次の場に進み、図５に示された位置に到達する。つめ２１０は、その年の残りついて影響を及ぼさない。したがって、閏年の１３の太陰月中、駆動車２０１は、回転の１３分の１２だけ進行するが、月車セット２０２とその針２０６は、正確に１回転を完了する。
【００１９】
当然、本明細書において詳細に記述された例は、中でも本発明の唯一の可能な実施形態であり、当業者の理解の範囲内において多くの修正および変更を受けることができる。たとえば、ストップつめ２１０が、通常年に対応する位置に軸方向に移動する代わりに、遮断板２１２によって回転が防止される遊星車２０８が、ストップ部分２０３を後方に押し、年の第１月の終了時にストップ部分２０３を通過するように、ストップ部分２０３上に弾性的に取り付けることができる。つめを弾性的に保持することにもかかわらず、閏月の開始時に遊星車の制動を克服するように十分強くなければならない。
【００２０】
異なる太陰太陽暦の閏月および閏年に関する規則に適合するために、異なる方式で年カム２１５を構成することが可能であり、これにより、本発明の原理は、たとえば、ギリシャ、ユダヤ、またはインドの暦表示に適用することが可能になる。
【図面の簡単な説明】
【００２１】
【図１】各新月において月表示を駆動することができる要素を有する計時器において組み込むことができる、中国暦において太陰月を表示するデバイスの概略的な斜視底面図である。
【図２】図１の表示デバイスの概略的斜視図である。
【図３】図１の表示デバイスの異なる位置を示す概略的底面図である。
【図４】図１の表示デバイスの異なる位置を示す概略的底面図である。
【図５】図１の表示デバイスの異なる位置を示す概略的底面図である。
【符号の説明】
【００２２】
２００  共通軸、２０１  駆動車、２０２  太陰月駆動セット、２０３  ストップ部分、２０４  スケール、２０６  針、２０７  板、２０８  歯付き遊星車、２０９  ストップ要素、２１０  ストップつめ、２１２  固定ロック板  遮断板、２１３  第１歯、２１４  第２歯、２１５  カム、２１６  ショルダ、２１８  フィーラ、２２０  ラック、２２１  歯付きハブ、２２４  歯
【図１】
2007171201.tif 000003
【図２】
2007171201.tif 000004
【図３】
2007171201.tif 000005
【図４】
2007171201.tif 000006
【図５】
2007171201.tif 000007